(57)【要約】      （修正有）【課題】ナンバープレート上の自動車登録ナンバーの表示が偽装されることを防止するために、ナンバープレート上の自動車登録ナンバーの表示に偽装がないことを認証し、認証状態を表示する認証状態表示機能付き電子ナンバープレートを提供する。【解決手段】自動車登録ナンバーおよび自動車登録ナンバーの表示が偽装されていないことを示す認証状態を表示する表示装置１０５と、表示装置１０５の表示面とは反対の表示装置１０５の裏面側に配置され、表示面上の画像を取得する画像取得装置１０６と、自動車登録ナンバーおよび認証状態を表示しないように表示装置１０５に指示し、自動車登録ナンバーおよび認証状態を表示しない状態の表示面上の画像を自動車走行中に複数回取得するように画像取得装置１０５に指示し、複数回取得した表示面上の画像が一致しない場合には表示装置１０５に認証状態を表示するよう指示するプロセッサ１０１とを含む。【選択図】図２
2013010445.tif 000002
【特許請求の範囲】
【請求項１】
自動車登録ナンバーおよび前記自動車登録ナンバーの表示が偽装されていないことを示す認証状態を表示する表示装置と、
前記表示装置の表示面とは反対の前記表示装置の裏面側に配置され、前記表示面上の画像を取得する画像取得装置と、
前記自動車登録ナンバーおよび前記認証状態を表示しないように前記表示装置に指示し、前記自動車登録ナンバーおよび前記認証状態を表示しない状態の前記表示面上の画像を自動車走行中に複数回取得するように前記画像取得装置に指示し、前記複数回取得した前記表示面上の画像が一致しない場合には前記表示装置に前記認証状態を表示するよう指示するプロセッサと、
を含む電子ナンバープレート。
【請求項２】
前記表示装置は、
前記表示装置の前記表示面側に配置され、前記自動車登録ナンバーおよび前記認証状態を表示する場合には、前記自動車登録ナンバーの画像および前記認証状態の画像を前記表示面上に表示し、前記自動車登録ナンバーおよび前記認証状態を表示しない場合には、前記表示面から入射した外光を透過する画像表示部と、
前記画像表示部と前記画像取得装置との間に配置され、前記自動車登録ナンバーおよび前記認証状態を表示する場合には、前記画像表示部を透過して入射した外光を吸収し、前記自動車登録ナンバーおよび前記認証状態を表示しない場合には、前記画像表示部を透過して入射した外光を透過する光吸収およびシャッター部と、
を含むことを特徴とする請求項１に記載の電子ナンバープレート。
【請求項３】
前記プロセッサは、前記認証状態を絶対時刻に従って変化する認証パターンを用いて決定することを特徴とする請求項１に記載の電子ナンバープレート。
【請求項４】
自動車登録ナンバーの表示が偽装されていないことを示す認証状態を表示する電子ナンバープレートを制御するプロセッサによって実行される認証状態表示方法であって、
前記自動車登録ナンバーおよび前記認証状態を表示面上に表示しないように前記電子ナンバープレートの表示装置に指示し、
前記自動車登録ナンバーおよび前記認証状態を表示しない状態の前記表示面上の画像を自動車走行中に複数回取得するように、前記表示面とは反対の前記表示装置の裏面側に配置された画像取得装置に指示し、
前記複数回取得した前記表示面上の画像が一致しない場合には前記表示装置に前記認証状態を表示するように指示する
ことを特徴とする前記認証状態表示方法。
【請求項５】
前記表示装置は、
前記表示装置の前記表示面側に配置され、前記自動車登録ナンバーおよび前記認証状態を表示する場合には、前記自動車登録ナンバーの画像および前記認証状態の画像を前記表示面上に表示し、前記自動車登録ナンバーおよび前記認証状態を表示しない場合には、前記表示面から入射した外光を透過する画像表示部と、
前記画像表示部と前記画像取得装置との間に配置され、前記自動車登録ナンバーおよび前記認証状態を表示する場合には、前記画像表示部を透過して入射した外光を吸収し、前記自動車登録ナンバーおよび前記認証状態を表示しない場合には、前記画像表示部を透過して入射した外光を透過する光吸収およびシャッター部と、
を含むことを特徴とする請求項４に記載の認証状態表示方法。
【請求項６】
前記プロセッサは、前記認証状態を絶対時刻に従って変化する認証パターンを用いて決定することを特徴とする請求項４に記載の認証状態表示方法。
【請求項７】
自動車登録ナンバーの表示が偽装されていないことを示す認証状態を表示する電子ナンバープレートを制御するプロセッサための認証状態表示プログラムであって、
前記自動車登録ナンバーおよび前記認証状態を表示面上に表示しないように前記電子ナンバープレートの表示装置に指示し、
前記自動車登録ナンバーおよび前記認証状態を表示しない状態の前記表示面上の画像を自動車走行中に複数回取得するように、前記表示面とは反対の前記表示装置の裏面側に配置された画像取得装置に指示し、
前記複数回取得した前記表示面上の画像が一致しない場合には前記表示装置に前記認証状態を表示するように指示する
処理を前記プロセッサに実行させる認証状態表示プログラム。
【請求項８】
前記表示装置は、
前記表示装置の前記表示面側に配置され、前記自動車登録ナンバーおよび前記認証状態を表示する場合には、前記自動車登録ナンバーの画像および前記認証状態の画像を前記表示面上に表示し、前記自動車登録ナンバーおよび前記認証状態を表示しない場合には、前記表示面から入射した外光を透過する画像表示部と、
前記画像表示部と前記画像取得装置との間に配置され、前記自動車登録ナンバーおよび前記認証状態を表示する場合には、前記画像表示部を透過して入射した外光を吸収し、前記自動車登録ナンバーおよび前記認証状態を表示しない場合には、前記画像表示部を透過して入射した外光を透過する光吸収およびシャッター部と、
を含むことを特徴とする請求項７に記載の認証状態表示プログラム。
【請求項９】
前記プロセッサは、前記認証状態を絶対時刻に従って変化する認証パターンを用いて決定することを特徴とする請求項７に記載の認証状態表示プログラム。
【発明の詳細な説明】
【技術分野】
【０００１】
本発明は、ナンバープレート上の自動車登録ナンバーの表示に偽装がないこと認証し、認証状態を表示する認証状態表示機能付き電子ナンバープレート、認証状態表示方法、および認証状態表示プログラムに関する。
【背景技術】
【０００２】
近年、２輪および４輪などの各種自動車に搭載されるナンバープレートを電子化する技術が研究されている。
例えば、特許文献１には、従来型のナンバープレート本体に電子ユニットを固着させた電子ナンバープレートが開示されている。従来型のナンバープレート上には、車両ナンバーなどの個々の自動車固有の自動車登録ナンバーが塗料により表示される。
【０００３】
特許文献１の電子ユニットには、マイクロコンピュータ、アンテナ、表示器が含まれる。
特許文献１のマイクロコンピュータには、個々の自動車固有の車両コードが格納されている。そして、マイクロコンピュータに格納された車両コードは、アンテナを介して、電子ユニットと通信可能な範囲にあるパトロールカーなどに取り付けられた通信機により読み取られる。通信機による読み取りにより得られた識別結果は、アンテナを介して、電子ユニットの表示器により表示される。
【０００４】
このように、特許文献１では、マイクロコンピュータに格納された自動車固有の車両コードをパトロールカーなどの通信機により読み取ることによって、電子ナンバープレートを搭載した個々の自動車を識別する。
【０００５】
しかしながら、電子ユニットのマイクロコンピュータに格納された個々の自動車固有の車両コードは、電子ユニット本体を目視しても取得することができない。
ナンバープレート上の自動車登録ナンバーの表示から個々の自動車を識別する必要性は、個々の自動車を識別可能な情報が格納された電子ナンバープレートが自動車に搭載された場合においても、依然として存在する。例えば、犯罪に用いられた自動車を目撃した場合には、ナンバープレート上に表示された自動車登録ナンバーを目視で取得することにより、自動車を特定する必要がある。
【０００６】
なお、特許文献１では、車両コードが格納された電子ユニットは、自動車登録ナンバーを塗料により表示する従来型のナンバープレートと一体的に取り付けられる。
また、特許文献２には、電波モジュール中の記憶装置に格納された車両情報を表示するための表示装置を用いた電子ナンバープレートが開示されている。特許文献３には、ナンバープレートの外部に設置されたカメラからナンバープレート上の画像を取得して、ナンバープレートの凍結を防止する装置が開示されている。
【先行技術文献】
【特許文献】
【０００７】
【特許文献１】特開２００２−２４１０号公報
【特許文献２】特開２００８−９４３６１号公報
【特許文献３】特開２００６−２７４２２号公報
【発明の概要】
【発明が解決しようとする課題】
【０００８】
前述したように、ナンバープレート上の自動車登録ナンバーの表示から個々の自動車を識別できるようにする必要性は、電子ナンバープレートが自動車に搭載された場合においても依然として存在する。
【０００９】
ナンバープレート上の自動車登録ナンバーの表示から個々の自動車を正確に識別できるようにするためには、ナンバープレート上の自動車登録ナンバーの表示が偽装されることを防止する必要がある。
【００１０】
ナンバープレート上の表示が偽装された場合の例としては、ナンバープレート上に表示された自動車登録ナンバーに加筆し、表示された自動車登録ナンバーとは異なるナンバーがあたかもナンバープレート上に表示されているように見せかけられた場合が挙げられる。また、ナンバープレート上に表示された自動車登録ナンバーとは異なるナンバーが記載された印刷物がナンバープレート上に貼られた場合が挙げられる。
【００１１】
この点、特許文献１では、自動車登録ナンバーを塗料により表示する従来型のナンバープレートが電子ユニットと共に自動車に搭載されるにすぎない。このため、電子ユニットに格納された車両コードが正確であったとしても、従来型のナンバープレート上の自動車登録ナンバーの表示が偽装される可能性が依然として存在する。
【００１２】
また、特許文献２の電子ナンバープレートは、電波モジュールに含まれる記憶装置に格納された車両情報などを表示装置により表示するにすぎない。このため、電子ナンバープレートの表示装置により表示された車両情報に偽装がなされる可能性が存在する。
【００１３】
そして、特許文献３には、ナンバープレートの外部に取り付けられたカメラからナンバープレート上の画像を取得して、ナンバープレートの凍結を防止する装置が示されるにすぎない。
【００１４】
本発明の目的は、ナンバープレート上の自動車登録ナンバーの表示が偽装されることを防止するために、ナンバープレート上の自動車登録ナンバーの表示に偽装がないこと認証し、認証状態を表示する認証状態表示機能付き電子ナンバープレート、認証状態表示方法、および認証状態表示プログラムを提供することである。
【課題を解決するための手段】
【００１５】
本発明の実施形態に従った電子ナンバープレートは、自動車登録ナンバーおよび自動車登録ナンバーの表示が偽装されていないことを示す認証状態を表示する表示装置と、表示装置の表示面とは反対の表示装置の裏面側に配置され、表示面上の画像を取得する画像取得装置と、自動車登録ナンバーおよび認証状態を表示しないように表示装置に指示し、自動車登録ナンバーおよび認証状態を表示しない状態の表示面上の画像を自動車走行中に複数回取得するように画像取得装置に指示し、複数回取得した表示面上の画像が一致しない場合には表示装置に認証状態を表示するよう指示するプロセッサとを含む。
【００１６】
本発明の実施形態に従った、自動車登録ナンバーの表示が偽装されていないことを示す認証状態を表示する電子ナンバープレートを制御するプロセッサによって実行される認証状態表示方法は、自動車登録ナンバーおよび認証状態を表示面上に表示しないように電子ナンバープレートの表示装置に指示し、自動車登録ナンバーおよび認証状態を表示しない状態の表示面上の画像を自動車走行中に複数回取得するように、表示面とは反対の表示装置の裏面側に配置された画像取得装置に指示し、複数回取得した表示面上の画像が一致しない場合には表示装置に認証状態を表示するように指示することを含む。
【００１７】
本発明の実施形態に従った、自動車登録ナンバーの表示が偽装されていないことを示す認証状態を表示する電子ナンバープレートを制御するプロセッサのための認証状態表示プログラムは、自動車登録ナンバーおよび認証状態を表示面上に表示しないように電子ナンバープレートの表示装置に指示し、自動車登録ナンバーおよび認証状態を表示しない状態の表示面上の画像を自動車走行中に複数回取得するように、表示面とは反対の表示装置の裏面側に配置された画像取得装置に指示し、複数回取得した表示面上の画像が一致しない場合には表示装置に認証状態を表示するように指示することを含む。
【発明の効果】
【００１８】
本発明の認証状態表示機能付き電子ナンバープレート、認証状態表示方法、および認証状態表示プログラムによれば、表示された認証状態を目視することにより、電子ナンバープレート上に表示される自動車登録ナンバーの偽造の有無を判断できる。したがって、認証状態の表示から偽装の有無を判断できるため、ナンバープレート上の自動車登録ナンバーの表示の偽装を防止することができる。
【図面の簡単な説明】
【００１９】
【図１】本発明の実施形態に従った電子ナンバープレートのハードウェア構成図である。
【図２】本発明の実施形態に従った電子ナンバープレートの断面図である。
【図３】電子ナンバープレートの表示装置の表示面の概略図である。
【図４】電子ナンバープレートの表示装置の構造図である。
【図５】表示装置に含まれるコレステリック型液晶の動作例の説明図である。
【図６】表示装置に含まれるIn-plane型電気泳動方式の表示部の動作例の説明図である。
【図７】電子ナンバープレートの表示装置の表示制御マトリクス図である。
【図８】自動車登録ナンバーおよび認証状態を表示する通常時の表示装置の説明図である。
【図９】表示面上の偽装の有無を判定する偽装判定時の表示装置の説明図である。
【図１０】中型番号標に対応させた本発明の電子ナンバープレートの表示面の例図である。
【図１１】自動車登録ナンバーを構成する地名の文字一覧表である。
【図１２】本発明の実施形態に従った電子ナンバープレートによる認証状態表示情報の取得処理のフローチャートである。
【図１３】表示文字形状数を４、表示色数を7、および表示時間の最大値を30に設定した場合の認証パターンの例図である。
【図１４】表示文字形状数を４、表示色数を7、および表示時間の最大値を45に設定した場合の認証パターンの例図である。
【図１５】電子ナンバープレートの表示装置の表示面の画像サイズの例図である。
【図１６】表示装置の表示面の画像サイズと表示可能文字数との対応関係一覧表である。
【図１７】本発明の実施形態に従った電子ナンバープレートによる画像取得処理のフローチャートである。
【図１８Ａ】電子ナンバープレート上の表示に偽装なしと認証し、認証状態を表示する認証状態表示処理のフローチャートである。
【図１８Ｂ】電子ナンバープレート上の表示に偽装なしと認証し、認証状態を表示する認証状態表示処理のフローチャートである。
【図１９Ａ】画像データの一致判定処理のフローチャートである。
【図１９Ｂ】画像データの一致判定処理のフローチャートである。
【図２０】画像データの一致処理判定処理の説明図である。
【図２１】自動車登録ナンバーの表示が偽装されている場合の偽装判定処理の説明図である。
【図２２】自動車登録ナンバーの表示が偽装されてない場合の偽装判定処理の説明図である。
【発明を実施するための形態】
【００２０】
以下、図面を参照しながら、実施形態を詳細に説明する。
図１は、本発明の実施形態に従った電子ナンバープレートのハードウェア構成図である。
【００２１】
本発明の実施形態に従った電子ナンバープレート１００には、Central Processing Unit（ＣＰＵ）１０１、Real Time Clock（ＲＴＣ）１０２、Random Access Memory（ＲＡＭ）などの主記憶装置１０３、Read Only Memory（ＲＯＭ)１０４、表示装置１０５、画像取得装置１０６、電波時計１０７、および３軸加速度センサなどの加速度センサ１０８が含まれる。
【００２２】
ＣＰＵ１０１は、ＲＯＭ１０４に格納された自動車登録ナンバーを表示装置１０５に表示させるための処理、および自動車登録ナンバーを表示装置１０５に表示させないための処理を実行する。
【００２３】
また、ＣＰＵ１０１は、表示装置１０５上の表示が偽装されていないことを認証するための処理、および認証状態を表示装置１０５上に表示させるための処理を実行する。
ＲＴＣ１０２は、電子ナンバープレート１００のハードウェアクロックである。なお、図１では、ＲＴＣ１０２をＣＰＵ１０１とは別の装置として示しているが、ＲＴＣ１０２をＣＰＵ１０１に内蔵させてもよい。
【００２４】
主記憶装置１０３には、ＣＰＵ１０１によりＲＯＭ１０４から読み出されたプログラム、およびＣＰＵ１０１により処理されるデータが一時的に保管される。ＣＰＵ１０１は、主記憶装置１０３に直接アクセスできる。
【００２５】
ＲＯＭ１０４には、自動車登録ナンバーを含む個々の自動車を識別可能な情報、認証状態の表示情報、およびＣＰＵ１０１により実行されるプログラムが格納される。ＲＯＭ１０４に格納されるプログラムには、電子ナンバープレート上の表示に偽装なしと認証し、認証状態を表示する認証状態表示処理のためのプログラムが含まれる。
【００２６】
表示装置１０５は、自動車登録ナンバーを表示する。また、表示装置１０５は、表示している自動車登録ナンバーに対する認証状態を表示する。
画像取得装置１０６は、表示装置１０５の表示面上の画像を取得する。
【００２７】
電波時計１０７は、ＣＰＵ１０１による処理が正確な時刻に合わせて実行されるようにするために、時刻情報が乗せられた標準電波を受信して、ＲＴＣ１０２の時刻を補正する。なお、図１には、電波時計１０７が示されているが、電波時計１０７に代えて、Global Positioning System（ＧＰＳ）から配信されるデータにより正確な時刻を生成する装置であってもよい。
加速度センサ１０８は、電子ナンバープレート１００を搭載した自動車の走行状態を計測する。
【００２８】
図２は、本発明の実施形態に従った電子ナンバープレートの断面図である。
図２の断面図において、電子ナンバープレート１００の表側とは、自動車登録ナンバーを表示する電子ナンバープレート１００の表示面が存在する側を指す。また、電子ナンバープレート１００の裏側とは、電子ナンバープレート１００が自動車に取り付けられる側を指す。
【００２９】
図２に示したように、表示装置１０５は、電子ナンバープレート１００の表側に存在する。そして、自動車登録ナンバーを表示する表示装置１０５の表示面は、電子ナンバープレート１００の表側表面に存在する。
【００３０】
また、画像取得装置１０６は、電子ナンバープレート１００の表側から見て表示装置１０５の下層に存在する。すなわち、画像取得装置１０６は、表示装置１０５の表示面とは反対の表示装置１０５の裏面側に存在する。
【００３１】
本発明の実施形態では、画像取得装置１０６を表示装置１０５の表示面とは反対の裏面側に配置するため、電子ナンバープレートの外部に画像取得装置を設置する必要性がなくなる。また、電子ナンバープレートの外部に画像取得装置を設置する場合と比較して、電子ナンバープレートの小型化を実現する。
【００３２】
本発明の実施形態では、加速度センサ１０８の測定結果により自動車が走行中であると判定すると、ＣＰＵ１０１は、自動車登録ナンバーを表示しない状態にするように表示装置１０５に指示する。そして、ＣＰＵ１０１は、表示装置１０５の表示面上の画像データを画像取得装置１０６に取得するよう指示する。ＣＰＵ１０１は、これらの処理を所定の時間間隔を空けて複数回実行する。
【００３３】
ＣＰＵ１０１は、画像取得装置１０６により取得された複数回の画像データが相互に一致するか否かを判定する。
前述したように、表示装置１０５の表示面とは反対の裏面側に配置された画像取得装置１０６は、自動車登録ナンバーを表示しない動作状態にある表示装置１０５の表示面上の画像を自動車走行中に取得する。このため、画像取得装置１０６により取得される画像には、表示装置１０５の表示面上に偽装がなされない限り、刻々と変化し得る外景画像のみが映り込むはずである。
【００３４】
したがって、表示装置１０５が自動車登録ナンバーを表示しない動作状態であるにもかかわらず、刻々と変化し得る自動車走行中に取得された複数回の画像データが相互に一致する場合、表示装置１０５の表示面上には、表示装置１０５が表示しない何らかの記載がされていると判断できる。そこで、ＣＰＵ１０１は、自動車登録ナンバーが表示される表示装置１０５の表示面上が偽装されていると判定する。
【００３５】
一方、表示装置１０５が自動車登録ナンバーを表示しない状態で取得された複数回画像データが相互に一致しない場合には、表示装置１０５の表示面上には何らの記載もなされていないと判断できる。そこで、ＣＰＵ１０１は、表示装置１０５の表示面上が偽装されていないと判定する。
【００３６】
表示装置１０５の表示面上が偽装されていないと判定する場合には、ＣＰＵ１０１は、表示装置１０５の表示面上に偽装なしとの認証状態を表示するように表示装置１０５に指示する。
【００３７】
このように、本発明の実施形態に従えば、電子ナンバープレート上により表示された認証状態を目視することにより、電子ナンバープレート上に表示された登録ナンバーが偽装されているか否かを判断することができる。
【００３８】
さらに、本発明の実施形態に従った電子ナンバープレートでは、表示装置１０５上に表示された認証状態に基づいて偽装の有無を正確に判断できるようにするために、認証状態の表示が偽装されることを防止する。
【００３９】
本発明の実施形態では、認証状態の表示が偽装されることを防止するために、認証状態の表示文字形状、表示色、および表示時間が絶対時刻に従って変化する認証パターンを用いて、認証状態を表示装置１０５上に表示するように設定する。
【００４０】
したがって、本発明の実施形態に従えば、電子ナンバープレート上に表示された認証状態を目視することにより、電子ナンバープレートに表示された登録ナンバーに偽装がされているか否かを正確に判断することができる。
【００４１】
本発明の実施形態に従った電子ナンバープレート１００の表示装置１０５について説明する。
図３は、電子ナンバープレートの表示装置の表示面の概略図である。
【００４２】
図３に示すように、表示装置１０５の表示面３００には、ナンバー表示部３０１および認証表示部３０２が含まれる。
ナンバー表示部３０１は、自動車登録ナンバーを表示する表示面３００の領域である。ナンバー表示部３０１に表示される自動車登録ナンバーには、漢字、平仮名、数字、および記号などの文字が含まれる。
【００４３】
認証表示部３０２は、ナンバー表示部３０１上に表示された自動車登録ナンバーが偽装されていないことを示す認証状態を表示する表示面３００の領域である。
本発明の実施形態では、図２に示したように、画像取得装置１０６は、表示装置１０５の表示面３００とは反対の裏面側に存在する。そして、自動車登録ナンバーを表示しない状態の表示面３００上の画像は、表示面３００とは反対の表示装置１０５の裏面側に配置された画像取得装置１０６により取得される。
【００４４】
表示装置１０５の裏面側に配置された画像取得装置１０６により自動車登録ナンバーを表示しない状態の表示面３００上の画像データを取得できるようにするために、本発明の実施形態の表示装置１０５は、例えば、図４に示すような構造を有する。
【００４５】
図４は、電子ナンバープレートの表示装置の構造図である。
図４に示した表示装置１０５には、画像表示部４０１および光吸収およびシャッター部４０２が含まれる。
【００４６】
図４に示すように、画像表示部４０１は、表示面が存在する側である表示装置１０５の表側に配置される。
また、図4に示すように、光吸収およびシャッター部４０２は、表側とは反対の表示装置１０５の裏側に配置される。図２を示して前述したように、表示装置１０５の裏面側には画像取得装置１０６が配置されることから、光吸収およびシャッター部４０２は、画像表示部４０１と画像取得装置１０６との間に配置される。
【００４７】
画像表示部４０１は、赤色、緑色、および青色の組み合わせによりフルカラーで自動車登録ナンバー画像を表示するユニットである。
画像表示部４０１には、3層のコレステリック型液晶４０１ａ〜４０１ｃが含まれる。コレステリック型液晶はメモリー型液晶で、無電圧でも表示を維持する特性があり、車のエンジンを切っても、あるいはバッテリーが消耗しても表示を維持できるため、ナンバープレートの表示部として用いるのに適している。
【００４８】
コレステリック型液晶４０１ａは、太陽光および蛍光灯の光などの入射した外光に対して青色の波長の光を反射する。図４に示すように、コレステリック型液晶４０１ａには、透明絶縁フィルム４０１ａｆ１および４０１ａｆ２、透明電極４０１ａｐ１および４０１ａｐ２、ならびにコレステリック液晶青色分子層４０１ａｂが含まれる。
【００４９】
コレステリック型液晶４０１ｂは、入射した外光に対して緑色の波長の光を反射する。図４に示すように、コレステリック型液晶４０１ｂには、透明絶縁フィルム４０１ｂｆ１および４０１ｂｆ２、透明電極４０１ｂｐ１および４０１ｂｐ２、ならびにコレステリック液晶緑色分子層４０１ｂｇが含まれる。
【００５０】
コレステリック型液晶４０１ｃは、入射した外光に対して赤色の波長の光を反射する。図４に示すように、コレステリック型液晶４０１ｃには、透明絶縁フィルム４０１ｃｆ１および４０１ｃｆ２、透明電極４０１ｃｐ１および４０１ｃｐ２、ならびにコレステリック液晶赤色分子層４０１ｃｒが含まれる。
【００５１】
光吸収およびシャッター部４０２は、画像表示部４０１を透過して入射した外光を吸収するユニットであり、すべての波長の外光を吸収した場合には黒色を表示するユニットである。
【００５２】
また、光吸収およびシャッター部４０２は、画像表示部４０１を透過して入射した外光を吸収せずに透過することが可能なユニットである。
光吸収およびシャッター部４０２は、図２に示した画像取得装置１０６が表示装置１０５の表示面３００上の画像を取得する際のシャッターの機能を果たす。
【００５３】
すなわち、外光が画像表示部４０１と光吸収およびシャッター部４０２とを透過して画像取得装置１０６に入射するようにするために、光吸収およびシャッター部４０２は、ＣＰＵ１０１による制御により、外光を吸収する動作状態から外光を透過する動作状態に制御される。また、外光が画像取得装置１０６に入射することを遮断するために、光吸収およびシャッター部４０２は、ＣＰＵ１０１による制御により、外光を透過する動作状態から外光を吸収する動作状態に制御される。
【００５４】
光吸収およびシャッター部４０２は、図４に示すように、例えば１層の面内（In-plane）型電気泳動方式を用いた表示部である。電気泳動方式もコレステリック型液晶と同様にメモリー型の特性を有することで、無電圧でも表示を維持する特性がある。
【００５５】
図４に示すように、光吸収およびシャッター部４０２には、透明電極４０２ｐ１および４０２ｐ２、黒色泳動分子層４０２ｂ、透明絶縁層４０２ｌ、透明絶縁フィルム４０２ｆが含まれる。
【００５６】
黒色泳動分子層４０２ｂは、透明電極４０２ｐ１および４０２ｐ２に印加された電圧に応じて、プラスに帯電した黒色トナーなどの黒色分子が絶縁性の溶液中で泳動する層である。図４に示すように、黒色泳動分子層４０２ｂは、両側に存在する透明電極４０２ｐ１の間に配置され、透明電極４０２ｐ２上に配置される。
【００５７】
図５は、表示装置に含まれるコレステリック型液晶の動作例の説明図である。
図５に示した透明電極５０１は、透明電極４０１ａｐ１、透明電極４０１ｂｐ１、および透明電極４０１ｃｐ１に相当する。また、透明電極５０３は、透明電極４０１ａｐ２、透明電極４０１ｂｐ２、および透明電極４０１ｃｐ２に相当する。
【００５８】
図５に示したコレステリック液晶分子５０２は、コレステリック液晶青色分子層４０１ａｂ、コレステリック液晶緑色分子層４０１ｂｇ、およびコレステリック液晶赤色分子層４０１ｃｒにそれぞれ含まれるコレステリック液晶分子に相当する。
【００５９】
コレステリック液晶分子５０２は、青色（コレステリック液晶青色分子層４０１ａｂの場合）、緑色（コレステリック液晶緑色分子層４０１ｂｇの場合）、または赤色（コレステリック液晶赤色分子層４０１ｃｒの場合）の波長の光を反射する性質を有し、ねじれた螺旋のような状態で並んでいる。
【００６０】
図５（ａ）に示すように、透明電極５０１および５０３間に電圧が印加されていない電圧オフ状態では、コレステリック液晶分子５０２は、螺旋の向きが縦向きの状態で並んでいる。螺旋の向きが縦向きの状態のコレステリック液晶分子５０２に太陽光や蛍光灯の光などの外光が入射すると、コレステリック液晶分子５０２は、決められた波長の光を反射する。
【００６１】
図５（ｂ）に示すように、入射した外光を反射させたくないコレステリック型液晶４０１ａ〜４０１ｃの透明電極５０１および５０３間に低電圧を印加すると、透明電極５０１および５０３間に存在するコレステリック液晶分子５０２の螺旋の向きは、横向きの状態になる。このとき、螺旋の向きが横向きの状態になったコレステリック液晶分子５０２は、入射した外光を反射せずに透過する。
【００６２】
図５（ｃ）に示すように、コレステリック液晶分子５０２の螺旋の向きが横向きになった状態で透明電極５０１および５０３間に印加した低電圧をオフすると、コレステリック液晶分子５０２の螺旋の向きは、横向きになった状態で安定する。このとき、螺旋の向きが横向きの状態で安定したコレステリック液晶分子５０２は、入射した外光を反射せずに透過する状態を継続する。
【００６３】
図５（ｄ）に示すように、入射した外光を反射させたいコレステリック型液晶４０１ａ〜４０１ｃの透明電極５０１および５０３間に高電圧を印加すると、透明電極５０１および５０３間に存在するコレステリック液晶分子の横向きの螺旋が延びる。そして、高電圧を印加した直後に、透明電極５０１および５０３間に印加した高電圧をオフすると、図５（ｅ）に示すように、横向きの螺旋が延びたコレステリック液晶分子５０２は反発して、螺旋の向きが縦向きの状態で安定する。このとき、螺旋の向きが縦向きの状態で安定したコレステリック液晶分子５０２は、入射した外光に対して決められた波長の光を反射する。
【００６４】
なお、図５の動作例には示していないが、透明電極５０１および５０３間に印加する電圧に応じて、コレステリック液晶分子５０２の螺旋の向きを縦向きと横向きの中間状態にすることが可能である。
【００６５】
以上の説明のように、画像表示部４０１に含まれるコレステリック型液晶４０１ａ〜４０１ｃは、それぞれの透明電極に印加された電圧に応じて、入射した外光に対して青色、緑色、および赤色をそれぞれ反射し、または入射した外光を反射せずに透過する。
【００６６】
図６は、表示装置に含まれるIn-plane型電気泳動方式の表示部の動作例の説明図である。
図６に示した透明電極６０１は、透明電極４０２ｐ１に相当する。透明電極６０３は、透明電極４０２ｐ２に相当する。
【００６７】
図６に示した黒色分子６０２は、黒色泳動分子層４０２ｂの絶縁性の溶液中を泳動する黒色分子に相当する。黒色分子６０２は、プラスに帯電されている。
図６（ａ）に示すように、透明電極６０１に負電圧を印加し、透明電圧６０３に正電圧を印加したとする。このとき、プラスに帯電された黒色分子は、負電圧が印加された透明電極６０１に集まり、正電圧が印加された透明電極６０３から離れる。この結果、In-plane型電気泳動方式の表示部の上層に存在する3層のコレステリック型液晶４０１ａ〜４０１ｃを透過して入射した外光は、透明電極６０３上の黒色分子６０２に吸収されることなく、In-plane型電気泳動方式の表示部内を透過する。
【００６８】
一方、図６（ｂ）に示すように、透明電極６０１に正電圧を印加し、透明電圧６０３に負電圧を印加したとする。このとき、プラスに帯電された黒色分子６０２は、正電圧が印加された透明電極６０１から離れ、負電圧が印加された透明電極６０３に集まる。この結果、In-plane型電気泳動方式の表示部の上層に存在する3層のコレステリック型液晶４０１ａ〜４０１ｃを透過して入射した外光は、透明電極６０３上の黒色分子６０２に吸収される。
【００６９】
以上の説明のように、光吸収およびシャッター部４０２をIn-plane型電気泳動方式の表示部により構成した場合、上層の画像表示部４０１を透過して入射した外光は、透明電極４０２ｐ１および４０２ｐ２に印加された電圧に従って、黒色泳動分子層４０２ｂ中の黒色分子により吸収され、または光吸収およびシャッター部４０２を透過する。
【００７０】
本発明の実施形態では、前述した画像表示部４０１および光吸収およびシャッター部４０２のそれぞれの透明電極に印加される電圧をＣＰＵ１０１により制御する。このＣＰＵ１０１による制御により、表示装置１０５の表示面３００上の表示が制御される。
【００７１】
図７は、電子ナンバープレートの表示装置の表示制御マトリクス図である
図７に示すように、表示装置１０５の表示面３００上に自動車登録ナンバーおよび認証状態を表示する通常時には、ＣＰＵ１０１は、コレステリック型液晶４０１ａ〜４０１ｃのそれぞれの透明電極に印加する電圧を、表示する自動車登録ナンバーおよび認証状態の画像データに基づき制御する。この制御により、画像表示部４０１は、自動車登録ナンバー画像をフルカラーで表示する。
【００７２】
また、通常時には、ＣＰＵ１０１は、透明電極４０２ｐ１および４０２ｐ２に印加する電圧を制御して、画像表示部４０１を透過して光吸収およびシャッター部４０２に入射した外光を、光吸収およびシャッター部４０２が吸収する動作状態にする。
【００７３】
一方、表示装置１０５の表示面３００上の表示が偽装されているか否かを判定する偽装判定時には、ＣＰＵ１０１は、コレステリック型液晶４０１ａ〜４０１ｃのそれぞれの透明電極に印加する電圧を制御して、画像表示部４０１が何も表示しない動作状態にする。すなわち、ＣＰＵ１０１は、画像表示部４０１が入射した外光を透過する動作状態にする。
【００７４】
また、偽装判定時には、ＣＰＵ１０１は、光吸収およびシャッター部４０２の透明電極４０２ｐ１および４０２ｐ２に印加する電圧を制御して、光吸収およびシャッター部４０２が何も表示しない動作状態にする。すなわち、ＣＰＵ１０１は、光吸収およびシャッター部４０２が入射した外光を透過する動作状態にする。
【００７５】
図８は、自動車登録ナンバーおよび認証状態を表示する通常時の表示装置の説明図である。図９は、表示面上の偽装の有無を判定する偽装判定時の表示装置の説明図である。
図７を示して前述した通常時において、例えば水色の画像を表示装置１０５の表示面３００上に表示させる場合には、表示装置１０５は、図８に示すような動作状態にＣＰＵ１０１により制御される。
【００７６】
コレステリック型液晶４０１ａ〜４０１ｃは、赤色（Ｒ）、緑色（Ｇ）、および青色（Ｂ）をそれぞれ256段階の階調の数値で表現したＲＧＢ値が0、255、255となるように制御される。すなわち、コレステリック型液晶４０１ａは、青色の数値が255となるように入射した外光を反射するよう制御される。コレステリック型液晶４０１ｂは、緑色の数値が255となるように入射した外光を反射するよう制御される。コレステリック型液晶４０１ｃは、赤色の数値が0となるように入射した外光を透過するよう制御される。
【００７７】
また、In-plane型電気泳動方式を用いた光吸収およびシャッター部４０２は、入射した外光を吸収するように制御される。
この結果、水色の画像が表示面３００上に表示されていることを目視により認識できる。
【００７８】
一方、図７を示して前述した偽装判定時には、表示装置１０５は、図９に示すような動作状態に制御される。
コレステリック型液晶４０１ａ〜４０１ｃは、ＲＧＢ値が0、0、0となるように制御される。すなわち、コレステリック型液晶４０１ａは、青色の数値が0となるように入射した外光を透過するよう制御される。コレステリック型液晶４０１ｂは、緑色の数値が0となるように入射した外光を透過するよう制御される。コレステリック型液晶４０１ｃは、赤色の数値が0となるように入射した外光を透過するよう制御される。
【００７９】
また、光吸収およびシャッター部４０２は、入射した外光を透過するように制御される。
この結果、表示装置１０５に入射した外光は、表示装置１０５を透過して画像取得装置１０６に入射する。そして、画像取得装置１０６は、入射した外光に従って表示装置１０５の表示面３００上の画像を取得する。
【００８０】
図３に示した表示面３００の寸法は、表示する自動車登録ナンバーの文字の種類、文字数、および目視確認の容易性などの条件に応じて、任意に設計し得る。
例えば、日本の自動車ナンバープレートには、大型番号標、中型番号標、および小型番号標と称されるナンバープレートが存在する。大型番号標は、縦220ｍｍ、横440ｍｍの縦横比1:2のナンバープレートである。中型番号標は、縦165ｍｍ、横330ｍｍの縦横比1:2のナンバープレートである。小型番号標は、縦125ｍｍ、横230ｍｍの縦横比1:1.84のナンバープレートである。
【００８１】
図１０は、中型番号標に対応させた本発明の電子ナンバープレートの表示面の例図である。
図１０に示した例図では、表示面３００の寸法は、縦165ｍｍ、横330ｍｍである。
【００８２】
表示面３００には、ナンバー表示部３０１および認証表示部３０２が含まれる。
図１０に示した例図では、自動車登録ナンバーを表示する領域であるナンバー表示部３０１中には、地名を表示する領域３０１ａ、分類番号を表示する領域３０１ｂ、詳細用途を表示する領域３０１ｃ、管理番号を表示する領域３０１ｄ、および記号「‐」（ハイフン）を表示する領域３０１ｅが含まれる。
【００８３】
なお、図１０に示した例図では、地名を表示する領域３０１ａには「群」および「馬」がそれぞれ表示されている。分類番号を表示する領域３０１ｂには、「９」がそれぞれ表示されている。詳細用途を表示する領域３０１ｃには、「ま」が表示されている。管理番号を表示する領域３０１ｄには、「１」、「２」、「３」、および「４」がそれぞれ表示されている。
【００８４】
地名を表示する領域３０１ａの寸法は、例えば、縦40ｍｍ、横40ｍｍである。分類番号を表示する領域３０１ｂの寸法は、例えば、縦40ｍｍ、横40ｍｍである。詳細用途を表示する領域３０１ｃの寸法は、例えば、縦40ｍｍ、横30ｍｍである。管理番号を表示する領域３０１ｄの寸法は、例えば、縦80ｍｍ、横40ｍｍである。記号「‐」を表示する領域３０１ｅの寸法は、例えば、縦40ｍｍ、横20ｍｍである。
認証状態表示部の寸法は、例えば、縦40ｍｍ、横40ｍｍである。
【００８５】
図１０はあくまで例図であり、本発明の実施形態の電子ナンバープレート１００の寸法が図１０を示して前述した寸法に限られないのは当然である。本発明の電子ナンバープレート１００は、大型番号標、中型番号標、および小型番号標を含む任意の寸法のナンバープレートに対応させることが可能である。
【００８６】
自動車登録ナンバーの表示位置および文字サイズは、各国において、法規や自動車登録ナンバーを発行する機関などの指示によって予め決められている。例えば、日本においては、自動車登録ナンバーの地名は、図１１に示したような漢字および平仮名により表記される。自動車登録ナンバーの分類番号は、数字により表記される。詳細用途は、平仮名により表記される。管理番号は、数字および中点により表記される。
【００８７】
本発明の実施形態に従った電子ナンバープレートでは、自動車登録ナンバーを構成する所定の文字の画像データは、ＲＯＭ１０４に予め格納される。ＣＰＵ１０１は、表示する所定の文字をＲＯＭ１０４から読み出し、各領域３０１ａ〜３０１ｅを指定して表示装置１０５に読み出した所定の文字を表示させる。
【００８８】
図１０に示した認証表示部３０２上に表示される認証状態は、認証状態を認識できる任意の文字であってよい。
本発明の実施形態では、認証表示部３０２上の認証状態の表示が偽装されることを防止するために、認証状態の表示文字形状、表示色（文字色および背景色）、および表示時間が絶対時刻に従って変化する認証パターンを用いて、認証表示部３０２上に認証状態を表示する。
【００８９】
例えば、目視により認識しやすい表示文字形状として、認証表示の表示文字形状に三角、四角、丸、ダイヤ形の4種類を用いる。4種類の表示文字形状の画像データは、4種類の表示文字形状をそれぞれ0〜3の整数に対応させた表示文字形状識別データと共に、ＲＯＭ１０４の表示文字コードテーブルに格納される。
【００９０】
表示文字形状の文字色は、例えば、赤色、青色、ピンク色、緑色、水色、黄色、および白色の7種類を用いる。ＲＧＢ値で表現された7種類の文字色のデータは、7種類の表示色をそれぞれ0〜6の整数に対応させた表示色識別データと共に、ＲＯＭ１０４の文字色テーブルに格納される。
【００９１】
表示文字形状の背景色は、前述した7種類の文字色の補色を用いる。ＲＧＢ値で表現された7種類の補色のデータは、それぞれの補色に対応する文字色の表示色識別データと共に、ＲＯＭ１０４の背景色テーブルに格納される。
【００９２】
表示時間は、例えば、その最大値を60秒とする。表示時間の最大値は、ＲＯＭ１０４に格納される。
本発明の実施形態では、ＲＯＭ１０４に格納された4種類の表示文字形状、7種類の表示色、および表示時間の最大値の中から、認証表示部３０２上に表示する認証状態の表示文字形状、表示色、および表示時間を、絶対時刻を用いた計算によりＣＰＵ１０１は決定する。本発明の実施形態では、絶対時刻は、電波時計１０７により正確な時刻に補正されたＲＴＣ１０２から取得される時刻である。
【００９３】
図１２は、本発明の実施形態に従った電子ナンバープレートによる認証状態表示情報の取得処理のフローチャートである。
ＣＰＵ１０１は、認証表示部３０２上に表示する認証状態を決定するために、認証状態の認証情報の取得処理を開始する（ｓｔｅｐ１２０１）。本発明の実施形態では、認証状態の表示情報は、表示文字形状、表示色、および表示時間である。
【００９４】
ｓｔｅｐ１２０２では、ＣＰＵ１０１は、ＲＴＣ１０２により取得された絶対時刻の年、月、日、時、分、および秒の和を文字色の要素数である7で割った余りの整数に、1を加えた値を計算する。そして、ＣＰＵ１０１は、計算により得られた値に対応する表示色識別データを求める。
【００９５】
ＣＰＵ１０１は、得られた表示色識別データに対応する文字色のデータを主記憶装置１０１の出力情報格納領域に格納する（ｓｔｅｐ１２０３）。また、ＣＰＵ１０１は、得られた表示色識別データに対応する背景色のデータを主記憶装置１０１の出力情報格納領域に格納する（ｓｔｅｐ１２０４）。
【００９６】
ｓｔｅｐ１２０５では、ＣＰＵ１０１は、絶対時刻の年、月、日、時、分、および秒の和を表示文字形状の要素数である4で割った余りの整数に、1を加えた値を計算する。そして、ＣＰＵ１０１は、計算により得られた値に対応する表示文字形状識別データを求める。
【００９７】
ＣＰＵ１０１は、得られた表示文字形状識別データに対応する表示文字形状の画像データを主記憶装置１０１の出力情報格納領域に格納する（ｓｔｅｐ１２０６）。
ｓｔｅｐ１２０７では、ＣＰＵ１０１は、絶対時刻の年、月、日、時、分、および秒の和を表示時間の最大値である60で割った余りの整数に、1を加えた値を計算する。
【００９８】
ＣＰＵ１０１は、計算により得られた値を認証状態の表示時間として主記憶装置１０１の出力情報格納領域に格納する（ｓｔｅｐ１２０８）。
ＣＰＵ１０１は、以上の処理によって、絶対時刻を用いた計算により決定した表示文字形状データ、表示色データ、および表示時間を出力情報格納領域に格納すると、認証情報の取得処理を終了する（ｓｔｅｐ１２０９）。
【００９９】
なお、上述した絶対時刻を用いた計算は、不規則に表示される認証状態を決定するための一例すぎず、前述以外の計算方法を用いてもよい。
また、ＲＯＭ１０４に予め格納される認証状態の表示情報（表示文字形状およびその数、表示色およびその数、および表示時間の最大値）は、前述した例に限られず、任意に設定できる。
【０１００】
図１３は、表示文字形状数を４、表示色数を7、および表示時間の最大値を30に設定した場合の認証パターンの例図である。図１４は、表示文字形状数を４、表示色数を7、および表示時間の最大値を45に設定した場合の認証パターンの例図である。
【０１０１】
図１３および図１４の例図では、0〜3の整数で表される表示文字形状識別データついては、0が丸、1が四角、2が三角、3がダイヤ形をそれぞれ表す。
また、0〜6の整数で表される表示色識別データついては、0は、文字色が赤色で背景色が水色、1は、文字色が青色で背景色が黄色、2は、文字色がピンクで背景色が緑色、3は、文字色が緑色で背景色がピンク色、4は、文字色が水色で背景色が赤色、5は、文字色が黄色で背景色が青色、6は、文字色が白色で背景色が黒色をそれぞれ表す。
【０１０２】
図１３および図１４の例図に示したように、認証表示部３０２上の認証状態の表示は、絶対時刻に従って変化する。
すなわち、絶対時刻に従った計算により、表示文字形状識別データ、表示色識別データ、および表示時間が求められる。そして、求められた表示文字形状識別データに対応する文字形状が、求められた表示時間の間、求められた表示色識別データに対応する文字色および背景色が用いられて表示される。
【０１０３】
求められた表示時間が経過すると、絶対時刻に従った計算により、表示文字形状識別データ、表示色識別データ、および表示時間が新たに求められ、新たに求められた表示文字形状識別データ、表示色識別データ、および表示時間に従って、認証状態が表示される。
【０１０４】
このように、認証状態の決定と決定された認証状態の表示は、絶対時刻に従って繰り返される。
また、図１３および図１４に示したように、表示文字形状数および表示色数が同じであっても、表示時間の最大値が異なると、認証表示部３０２上の認証状態の表示は異なる。すなわち、電子ナンバープレート１００に予め設定された表示文字形状およびその数、表示色およびその数、および表示時間の最大値に応じて、認証パターンは決定される。
【０１０５】
そこで、本発明の実施形態に従った電子ナンバープレートを運用する自動車登録ナンバーの発行機関などの機関は、認証状態の目視確認の容易性、偽装の困難性などを考慮して、電子ナンバープレートのＲＯＭ内に予め格納される認証状態の表示情報を任意に決定できる。
【０１０６】
以上のように、本発明の実施形態に従えば、認証状態の表示文字形状およびその数、表示色およびその数、および表示時間の最大値は、予め電子ナンバープレート内に設定される。また、設定された認証状態のこれらの構成要素は、絶対時刻を用いて決定された認証パターンを用いて組み合わされて表示される。
【０１０７】
したがって、本発明の実施形態に従えば、電子ナンバープレート内に予め設定された認証状態の表示情報に対する組み合わせが絶対時刻従って変化するため、認証状態の偽装表示を容易に行うことはできない。
【０１０８】
また、本発明の実施形態の電子ナンバープレートを搭載した複数台の自動車は、同一時刻において、同一の認証状態を電子ナンバープレート上に表示する。したがって、複数台の自動車にそれぞれ搭載された電子ナンバープレート上の認証状態を比較することにより、認証状態が偽装されているか否かを識別することができる。
【０１０９】
図１５は、電子ナンバープレートの表示装置の表示面の画像サイズの例図である。
図１５の例図では、表示装置１０５の表示面３００の画像サイズは、縦512ピクセル、横1024ピクセルである。
【０１１０】
図１５の例図において、図示した表示面３００の左上を座標軸ｘおよびｙの原点とし、横方向をｘ軸、縦方向をｙ軸とする。ＣＰＵ１０１は、所定の文字を表示装置１０５に表示させるために、ｘ軸およびｙ軸の座標位置により指定される画素毎に、表示させるＲＧＢ値を指定して、表示装置１０５に対する表示処理を実行する。
【０１１１】
なお、ＣＰＵ１０１により画素毎に指定されるＲＧＢ値は、赤色（Ｒ）、緑色（Ｇ）、および青色（Ｂ）のそれぞれに対して0〜255の階調の数値を00〜ffの16進数で表現した3バイトのデータである。
表示面３００の画像サイズは、自動車登録ナンバーを構成する所定の文字を表示するために必要な画素数に応じて決定される。
【０１１２】
図１６は、表示装置の表示面の画像サイズと表示可能文字数との対応関係一覧表である。
例えば、画像サイズが縦512ピクセル、横1024ピクセルである中型番号標の電子ナンバープレートの場合、文字ピクセル数を縦128ピクセル、横128ピクセル、余白ピクセル数を縦16ピクセル、横16ピクセルとして、縦4つ、横７つの範囲内で文字を表示するように設定する。
【０１１３】
次に、本発明の実施形態に従った電子ナンバープレート１００の画像取得装置１０６について説明する。
本発明の実施形態の画像取得装置１０６は、例えばComplementary Metal Oxide Semiconductor（ＣＭＯＳ）画像センサである。
【０１１４】
ＣＰＵ１０１からの指示により表示装置１０５が図９に示して前述したような入射した外光を透過する動作状態にあるときに、画像取得装置１０６は、ＣＰＵ１０１からの指示に従って、表示装置１０５の表示面３００上の画像を表示装置１０５と同等の解像度で取得する。
【０１１５】
すなわち、画像取得装置１０６は、表示装置１０５の表示面３００上の画像を表示面３００上の総画素数と同等の画素数に分割し、赤色要素の値、緑色要素の値、および青色要素の値を256段階の階調を数値化した数値で画素毎に取得する。
【０１１６】
表示装置１０５の表示面３００上の画像を取得する際の画像取得装置１０６の焦点距離は、画像取得装置１０６から表示装置１０５の表示面３００までの距離に近くなるように調整される。この調整により、画像取得装置が取得した表示装置１０５の表示面３００上の画像に、表示面３００よりも遠距離に存在する外景が映り込むことを少なくすることができる。
【０１１７】
画素毎に取得された表示面３００上の画像データは、ＣＰＵ１０１を介して主記憶装置１０３の画像データ格納領域に格納される。
本発明の実施形態では、画像取得装置１０６は、表示面３００上の画像データを自動車走行中に所定の時間間隔を空けて複数回取得する。主記憶装置１０３の画像データ格納領域には、取得された表示面３００上の画像データ毎に格納される。
【０１１８】
図１７は、本発明の実施形態に従った電子ナンバープレートによる画像取得処理のフローチャートである。
表示装置１０５の表示面３００上の表示の偽装の有無を判定する偽装判定時に、ＣＰＵ１０１は、表示装置１０５の表示面３００上の画像を画像取得装置１０６に取得させる画像取得処理を開始する（ｓｔｅｐ１７０１）。
【０１１９】
表示装置１０５の表示面３００とは反対の裏面側に配置された画像取得装置１０６に外光を入射させるために、ＣＰＵ１０１は、入射した外光を吸収する動作状態にある表示装置１０５に対して、入射した外光を透過する動作状態にするように指示する（ｓｔｅｐ１７０２）。
【０１２０】
すなわち、透明電極４０２ｐ１に負電圧が印加され、透明電極４０２ｐ１に正電圧が印加されて、光吸収およびシャッター部４０２が入射した外光を透過するように、ＣＰＵ１０１は、表示装置１０５に指示する。
【０１２１】
ＣＰＵ１０１は、入射した外光を反射することにより認証状態を認証表示部３０２上に表示している表示装置１０５に対して、入射した外光を透過して認証状態を表示しないように指示する（ｓｔｅｐ１７０３）。
【０１２２】
また、ＣＰＵ１０１は、入射した外光を反射することにより自動車登録ナンバーをナンバー表示部３０１上に表示している表示装置１０５に対して、入射した外光を透過して自動車ナンバーを表示しないように指示する（ｓｔｅｐ１７０４）。
【０１２３】
すなわち、ｓｔｅｐ１７０３およびｓｔｅｐ１７０４では、３層のコレステリック型液晶４０１ａ〜４０１ｂのそれぞれの透明電極に印加される電圧を変えて、画像表示部４０１が入射した外光を透過するように、ＣＰＵ１０１は、表示装置１０５に指示する。
【０１２４】
表示装置１０５が入射した外光を透過する動作状態になると、ＣＰＵ１０１は、画像表示装置１０５の表示面３００上の画像に対する画素毎のＲＧＢ値を取得するように取得装置１０６に指示する（ｓｔｅｐ１７０５）。
【０１２５】
ＣＰＵ１０１は、画像取得装置１０６が取得した画素毎のＲＧＢ値の画像データを主記憶装置１０３の画像データ格納領域に保存する（ｓｔｅｐ１７０６）。
画素毎の画像データを主記憶装置１０３に保存すると、ＣＰＵ１０１は、表示装置１０５に対してナンバー表示部３０１上に自動車登録ナンバーを表示するように指示する（ｓｔｅｐ１７０７）。
【０１２６】
また、ＣＰＵ１０１は、表示装置１０５に対して認証表示部３０２上に認証状態を表示するように指示する（ｓｔｅｐ１７０８）。
すなわち、ｓｔｅｐ１７０７およびｓｔｅｐ１７０８では、３層のコレステリック型液晶４０１ａ〜４０１ｂのそれぞれの透明電極に印加される電圧を変えて、画像表示部４０１が入射した外光を反射するように、ＣＰＵ１０１は、表示装置１０５に指示する。
【０１２７】
そして、ＣＰＵ１０１は、入射した外光を透過する動作状態にある表示装置１０５に対して、入射した外光を吸収するように指示する（ｓｔｅｐ１７０９）。
すなわち、透明電極４０２ｐ１に正電圧が印加され、透明電極４０２ｐ１に負電圧が印加されて、光吸収およびシャッター部４０２が入射した外光を吸収するように、ＣＰＵ１０１は、表示装置１０５に指示する。
ｓｔｅｐ１７０９までの一連の処理を終了すると、ＣＰＵ１０１は、画像取得処理を終了する（ｓｔｅｐ１７１０）。
【０１２８】
本発明の実施形態に従った電子ナンバープレートにより、ナンバープレート上の自動車登録ナンバーの表示が偽装されていないことを認証し、認証状態を表示する認証状態表示処理フローを説明する。
【０１２９】
図１８は、電子ナンバープレート上の表示に偽装なしと認証し、認証状態を表示する認証状態表示処理のフローチャートである。
ｓｔｅｐ１８０１において認証状態表示処理を開始すると、ＣＰＵ１０１は、タイムアウト時刻格納領域に格納されるタイムアウト時刻を初期化する（ｓｔｅｐ１８０２）。タイムアウト時刻は、当該認証状態の表示終了時刻を表す。初期化されたタイムアウト時刻は、例えば、0年0月0日0分0秒である。
【０１３０】
また、ＣＰＵ１０１は、現在の処理回数を初期化する（ｓｔｅｐ１８０３）。現在の処理回数は、表示装置１０５の表示面３００上の画像を画像取得装置１０６に取得させる画像取得処理の回数を表す。
【０１３１】
ｓｔｅｐ１８０４において、ＣＰＵ１０１は、電波時計１０７により正確な時刻に補正されたＲＴＣ１０１から現在時刻を取得する。そして、ＣＰＵ１０１は、現在時刻を主記憶装置１０３の現在時刻格納領域に格納する（ｓｔｅｐ１８０５）。
【０１３２】
ｓｔｅｐ１８０６において、ＣＰＵ１０１は、現在時刻格納領域に格納された現在時刻とタイムアウト時刻格納領域に格納されたタイムアウト時刻とを比較する。
ｓｔｅｐ１８０６での比較の結果、現在時刻がタイムアウト時刻よりも早い場合には、現在表示している認証状態の表示終了時刻を経過していないため、ｓｔｅｐ１８０４の処理に戻る。
【０１３３】
一方、ｓｔｅｐ１８０６での比較の結果、現在時刻がタイムアウト時刻と同じか遅い場合には、現在表示している認証状態の表示終了時刻を経過するか経過しているので、新たな認証状態を表示するために、ｓｔｅｐ１８０７の処理に進む。
【０１３４】
ｓｔｅｐ１８０７では、ＣＰＵ１０１は、加速度センサ１０８による測定結果から、電子ナンバープレート１００を搭載した自動車が走行中であるか否かを判定する。
ｓｔｅｐ１８０７での判定の結果、走行中であると判定する場合には、ＣＰＵ１０１は、表示装置１０５の表示面３００上の画像を画像取得装置１０６により取得する処理を行う（ｓｔｅｐ１８０８）。
ｓｔｅｐ１８０８においてＣＰＵ１０１が行なう画像取得処理のフローは、図１７を示して前述したとおりである。
【０１３５】
本発明の実施形態では、自動車登録ナンバーおよび認証状態を表示装置１０５が表示面３００上に表示しない動作状態のときに、表示面３００上の画像を画像取得装置１０６が取得する。したがって、ｓｔｅｐ１８０８での画像取得処理の結果、画像取得装置１０６により取得された画像には、自動車登録ナンバーおよび認証状態は映っていない。すなわち、画像取得装置１０６により取得された画像には、表示面３００上に偽装がなされていない限り、表示面３００よりも遠方の外景が映り込むにすぎない。
【０１３６】
一方、ｓｔｅｐ１８０７での判定の結果、停車中であると判定する場合には、ｓｔｅｐ１８１５に進む。すなわち、ＣＰＵ１０１は、画像取得処理などを行わずに、認証表示部３０２に表示する認証状態の表示情報を、ｓｔｅｐ１８０４で現在時刻格納領域に格納された現在時刻に基づいて取得する処理に進む。
【０１３７】
ｓｔｅｐ１８０８での画像取得処理が終了すると、ＣＰＵ１０１は、現在の処理回数が0であるか否かを判定する（ｓｔｅｐ１８０９）。すなわち、ＣＰＵ１０１は、画像取得処理が1回目であるか否かを判定する。
【０１３８】
ｓｔｅｐ１８０９での判定の結果、現在の処理回数が0である場合には、ＣＰＵ１０１は、ｓｔｅｐ１８０７で取得された最新の画像データを取得画像データ１として主記憶装置１０３に格納する（ｓｔｅｐ１８１０）。
【０１３９】
そして、ＣＰＵ１０１は、ｓｔｅｐ１８１１において所定の時間間隔を待ち合わせた後、ｓｔｅｐ１８０４の処理に戻る。すなわち、ＣＰＵ１０１は、所定の時間間隔を空けて、表示面３００上の画像を自動車走行中に再度取得するように画像取得装置１０６に指示する。
【０１４０】
ｓｔｅｐ１８０９での判定の結果、現在の処理回数が0ではない場合には、ＣＰＵ１０１は、ｓｔｅｐ１８０８で取得された最新の画像データを取得画像データ2として主記憶装置１０３に格納する（ｓｔｅｐ１８１２）。そして、ＣＰＵ１０１は、ｓｔｅｐ１８１３の処理に進む。
ｓｔｅｐ１８１３では、ＣＰＵ１０１は、取得画像データ１と取得画像データ2との画像データの一致判定を行なう。
【０１４１】
図１９は、画像データの一致判定処理のフローチャートである。図２０は、画像データの一致処理判定処理の説明図である。
ｓｔｅｐ１９０１において取得画像データ１と取得画像データ2との一致判定処理を開始すると、ｓｔｅｐ１９０２〜ｓｔｅｐ１９０６において、ＣＰＵ１０１は、一致判定処理に必要なパラメータの初期値を設定する。
【０１４２】
すなわち、ｓｔｅｐ１９０２では、ＣＰＵ１０１は、一致許容率を設定する。
一致許容率は、取得画像データ１および取得画像データ2を比較した時に、取得画像データ１および取得画像データ2が一致すると判定する許容率である。例えば、表示面３００上に汚れが付着していたにすぎない場合を偽装と判定しないようにするために、一致許容率は、任意に設定できる。図１９の例では、ＣＰＵ１０１は、一致許容率を5パーセントに設定する。
【０１４３】
ｓｔｅｐ１９０３では、ＣＰＵ１０１は、画像データの横方向インデックス値を0に設定する。ｓｔｅｐ１９０４では、ＣＰＵ１０１は、画像データの縦方向インデックス値を0に設定する。
【０１４４】
図２０に示すように、横方向インデックス値は、画像取得装置１０６により画素毎に取得された画像データの横方向インデックスの値である。また、縦方向インデックス値は、画像取得装置１０６により画素毎に取得された画像データの縦方向インデックスの値である。なお、図２０には、画像サイズを横1024ピクセル、縦512ピクセルとした場合を例示しているが、画像サイズがこれに限られないことは前述したとおりである。
【０１４５】
ｓｔｅｐ１９０５では、ＣＰＵ１０１は、一致カウンタ値を0に設定する。ｓｔｅｐ１９０６では、ＣＰＵ１０１は、不一致カウンタ値を0に設定する。
一致カウンタ値は、取得画像データ１および取得画像データ2を画素毎に比較した結果、一致する画素データの数である。不一致カウンタ値は、取得画像データ１および取得画像データ2を画素毎に比較した結果、一致しない画素データの数である。
【０１４６】
ｓｔｅｐ１９０７では、ＣＰＵ１０１は、設定された横方向インデックス値および縦方向インデックス値に対応する画素について、取得画像データ１および取得画像データ2のＲＧＢ値を比較する。
【０１４７】
ｓｔｅｐ１９０７での比較の結果、一致する場合には、一致カウンタ値を1つインクリメントする（ｓｔｅｐ１９０８）。一方、ｓｔｅｐ１９０７での比較の結果、一致しない場合には、不一致カウンタ値を1つインクリメントする（ｓｔｅｐ１９０９）。
【０１４８】
ｓｔｅｐ１９１０では、横方向インデックス値を1つインクリメントする。
そして、ｓｔｅｐ１９１１では、ＣＰＵ１０１は、横方向インデックス値が横方向インデックス値の最大値と等しい否かを判定する。すなわち、図２０の例では、横方向インデックス値が1024であるか否か判定する。
【０１４９】
ｓｔｅｐ１９１１での判定の結果、横方向インデックス値が横方向インデックス値の最大値よりも小さい場合には、ＣＰＵ１０１は、ｓｔｅｐ１９０７の処理に戻る。
一方、ｓｔｅｐ１９１１での判定の結果、横方向インデックス値が横方向インデックス値の最大値と等しい場合には、ＣＰＵ１０１は、ｓｔｅｐ１９１２において横方向インデックス値を0に設定し、ｓｔｅｐ１９１３において縦方向インデックス値を1つインクリメントする。
【０１５０】
そして、ｓｔｅｐ１９１４において、ＣＰＵ１０１は、縦方向インデックス値が縦方向インデックス値の最大値と等しい否かを判定する。すなわち、図２０の例では、ＣＰＵ１０１は、縦方向インデックス値が512であるか否か判定する。
【０１５１】
ｓｔｅｐ１９１４での判定の結果、縦方向インデックス値が縦方向インデックス値の最大値よりも小さい場合には、ＣＰＵ１０１は、ｓｔｅｐ１９０７の処理に戻る。
一方、ｓｔｅｐ１９１４での判定の結果、縦方向インデックス値が縦方向インデックス値の最大値と等しい場合には、ＣＰＵ１０１は、取得画像データ１および取得画像データ2の画素毎の比較処理を終了し、一致カウンタ値および不一致カウンタ値の和であるトータルカウンタ値を求める（ｓｔｅｐ１９１５）。
【０１５２】
そして、ｓｔｅｐ１９１６において、ＣＰＵ１０１は、一致カウンタ値をトータルカウンタ値で割った値の百分率が一致許容率よりも大きいか否かを判定する。
ｓｔｅｐ１９１６での判定の結果、一致カウンタ値をトータルカウンタ値で割った値の百分率が一致許容率よりも小さいと判定する場合には、ＣＰＵ１０１は、取得画像データ１および取得画像データ2が一致しないと判定して、表示面３００上が正常状態であることを表す復帰コードを設定する（ｓｔｅｐ１９１７）。
【０１５３】
一方、ｓｔｅｐ１９１６での判定の結果、一致カウンタ値をトータルカウンタ値で割った値の百分率が一致許容率以上であると判定する場合には、ＣＰＵ１０１は、取得画像データ１および取得画像データ2が一致すると判定して、表示面３００上が異常状態であることを表す復帰コードを設定する（ｓｔｅｐ１９１８）。
【０１５４】
ｓｔｅｐ１９１７またはｓｔｅｐ１９１８での復帰コードの設定が終わると、複数画像データの一致判定処理を終了する（ｓｔｅｐ１９１９）。
ｓｔｅｐ１８１３での複数画像データの一致判定処理を終えると、ＣＰＵ１０１は、画像データ一致判定により設定された復帰コードが正常を表す復帰コードであるか否かを判定する（ｓｔｅｐ１８１４）。
【０１５５】
ｓｔｅｐ１８１４での判定の結果、正常を表す復帰コードである場合には、ＣＰＵ１０１は、認証表示部３０２上に表示する認証状態の表示情報をｓｔｅｐ１８０４で現在時刻格納領域に格納された現在時刻に基づいて取得する処理を行う（ｓｔｅｐ１８１５）。
【０１５６】
ｓｔｅｐ１８１５でＣＰＵ１０１が行なう認証状態の表示情報の取得処理は、図１２を示して前述したとおりである。本発明の実施形態では、ＣＰＵ１０１は、正確な時刻を示す絶対時刻に従って、表示文字形状、表示色、および表示時間を認証状態の表示情報として決定する。
【０１５７】
ｓｔｅｐ１８１５において認証状態の表示情報を取得すると、ＣＰＵ１０１は、取得した表示情報中の認証状態の表示時間から認証状態の表示終了時刻を計算し、計算した認証状態の表示終了時刻をタイムアウト時刻格納領域に格納する（ｓｔｅｐ１８１６）。
【０１５８】
そして、ＣＰＵ１０１は、取得した認証状態の表示情報に基づいた認証状態を認証表示部３０２上に表示するように表示装置１０５に指示する（ｓｔｅｐ１８１７）。
一方、ｓｔｅｐ１８１４での判定の結果、異常を表す復帰コードである場合には、ＣＰＵ１０１は、ｓｔｅｐ１８１８において現在の処理回数を１つインクリメントし、ｓｔｅｐ１８１９において現在の処理回数が所定の回数に達したか否かを判定する。
【０１５９】
ｓｔｅｐ１８１９において所定の回数に達していないと判定する場合には、ＣＰＵ１０１は、ｓｔｅｐ１８１１において所定の時間間隔を待ち合わせた後に、ｓｔｅｐ１８０４の処理に戻る。
【０１６０】
また、ｓｔｅｐ１８１９において所定の回数に達すると判定する場合には、ｓｔｅｐ１８２０の処理に進む。すなわち、ＣＰＵ１０１は、認証状態の表示情報の取得処理（ｓｔｅｐ１８１５）に基づいた認証表示処理（ｓｔｅｐ１８１７）を行なわない。この結果、ｓｔｅｐ１８１４で復帰コードが正常であると判定された場合とは異なり、認証表示部３０２上には、ｓｔｅｐ１８０４で現在時刻格納領域に格納された現在時刻に基づく認証状態が表示されない。
【０１６１】
ｓｔｅｐ１８２０において、例えば電子ナンバープレート１００のシステム保守のために処理を停止する要求がある場合には、ＣＰＵ１０１は、認証状態表示処理を終了する（ｓｔｅｐ１８２１）。
一方、ｓｔｅｐ１８２０において処理を停止する要求がない場合には、ＣＰＵ１０１は、ｓｔｅｐ１８０３の処理に戻り、認証状態表示処理を継続する。
【０１６２】
図１８を示して前述した処理過程において、本発明の実施形態に従った電子ナンバープレートの偽装判定処理の一例を図２１および図２２を用いて説明する。
まず、表示面３００上の自動車登録ナンバーの表示が偽装されている場合の電子ナンバープレート１００の偽装判定処理の一例を説明する。
【０１６３】
図２１は、自動車登録ナンバーの表示が偽装されている場合の偽装判定処理の説明図である。
図２１（ａ）に示すように、例えば、電子ナンバープレート１００が表示面３００上に自動車登録ナンバー「３」を表示していると仮定する。このとき、図２１（ｂ）に示すように、表示面３００上に表示されている自動車登録ナンバー「３」に「Ｅ」が人為的に加筆されて、表示面３００上に表示されている自動車登録ナンバーがあたかも「８」であるかのように偽装されたと仮定する。
【０１６４】
図２１（ｂ）のように偽装された場合、本発明の実施形態に従った電子ナンバープレート１００は、まず、電子ナンバープレート１００を搭載した自動車が走行中であるときに、表示面３００上の自動車登録ナンバー「３」の表示を中断する。また、電子ナンバープレート１００は、表示面３００に入射した外光が表示装置１０５を透過して表示装置１０５の裏面側に配置された画像処理装置１０６に入射するように処理を行う。
【０１６５】
そして、図２１（ｃ）に示すように、表示装置１０５の裏面側に配置された画像処理装置１０６は、表示面３００上の画像を取得する。
図２１（ｃ）に示すように、画像処理装置１０６により取得された画像には、自動車登録ナンバー「３」は映らない。しかし、画像処理装置１０６により取得された画像には、人為的に加筆された「Ｅ」を裏面から取得した「３」と、画像取得装置１０６から見て表示面３００よりも遠方に存在する自動車走行中の外景とが映る。
電子ナンバープレート１００の画像取得装置１０６は、所定の時間間隔を空けて、表示面３００上の画像を再度取得する。
【０１６６】
図２１（ｄ）に示すように、画像処理装置１０６により再度取得された画像には、自動車登録ナンバー「３」は映らない。しかし、画像処理装置１０６により再度取得された画像には、人為的に加筆された「Ｅ」を裏面から取得した「３」と、画像取得装置１０６から見て表示面３００よりも遠方に存在する自動車走行中の外景が映る。
【０１６７】
このように、電子ナンバープレート１００は、所定の時間間隔を空けて表示面３００上の画像を自動車走行中に取得する。
したがって、1回目に取得された画像と2回目に取得された画像を比較すると、図２１（ｅ）に示すように、両画像において、自動車走行中の外景の画像部分は一致しないが、人為的に加筆された「Ｅ」を裏面から取得した「３」の画像部分が一致する。
【０１６８】
そこで、電子ナンバープレート１００は、1回目に取得された画像と2回目に取得された画像を比較して、両画像の一致率が表示面３００上の汚れなどを考慮して設定した一致許容率を超えている場合には、表示面３００上に異常があると判定する。
【０１６９】
そして、表示面３００上に異常があると判定した場合には、電子ナンバープレート１００は、図２１（ｆ）のように所定の時間間隔を空けて、自動車走行中の表示面３００上の画像を再度取得する。そして、図２１（ｇ）のように1回目に取得された画像と再度取得された画像を再度比較して、両画面の一致判定を再度行なう。
【０１７０】
一致判定を所定の回数繰り返しても、表示面３００上に異常があると判定する場合には、電子ナンバープレート１００は、表示面３００上に偽装があると判定する。
次に、表示面３００上の自動車登録ナンバーの表示が偽装されていない場合の電子ナンバープレート１００の偽装判定処理の一例を説明する。
【０１７１】
図２２は、自動車登録ナンバーの表示が偽装されてない場合の偽装判定処理の説明図である。
図２２（ａ）に示すように、例えば、電子ナンバープレート１００が表示面３００上に自動車登録ナンバー「３」を表示していると仮定する。このとき、図２１（ｂ）を示して前述した場合とは異なり、表示面３００上の自動車登録ナンバーの表示が偽装されていないと仮定する。
【０１７２】
電子ナンバープレート１００は、まず、電子ナンバープレート１００を搭載した自動車が走行中であるときに、表示面３００上の自動車登録ナンバー「３」の表示を中断する。また、電子ナンバープレート１００は、表示面３００に入射した外光が表示装置１０５を透過して表示装置１０５の裏面側に配置された画像処理装置１０６に入射するように処理を行う。
【０１７３】
そして、図２２（ｂ）に示すように、表示装置１０５の裏面側に配置された画像処理装置１０６は、表示面３００上の画像を取得する。
図２２（ｂ）に示すように、画像処理装置１０６により取得された画像には、自動車登録ナンバー「３」は映らない。画像処理装置１０６により取得された画像には、画像取得装置１０６から見て表示面３００よりも遠方に存在する自動車走行中の外景が映る。
電子ナンバープレート１００の画像取得装置１０６は、所定の時間間隔を空けて、表示面３００上の画像を再度取得する。
【０１７４】
図２２（ｃ）に示すように、画像処理装置１０６により再度取得された画像には、自動車登録ナンバー「３」は映らない。画像処理装置１０６により再度取得された画像には、画像取得装置１０６から見て表示面３００よりも遠方に存在する自動車走行中の外景が映る。
【０１７５】
このように、電子ナンバープレート１００は、所定の時間間隔を空けて表示面３００上の画像を自動車走行中に取得する。したがって、図２２（ｄ）に示すように、1回目に取得された画像と2回目に取得された画像を比較すると、両画像には一致する画像部分がない。
【０１７６】
そこで、電子ナンバープレート１００は、1回目に取得された画像と2回目に取得された画像を比較して、両画像の一致率が一致許容率を超えない場合には、表示面３００上が正常であると判定する。
【０１７７】
正常であると判定した場合には、電子ナンバープレート１００は、表示面３００上の自動車登録ナンバーの表示に偽装なしと認証する。
以上のように、本発明の実施形態では、自動車登録ナンバーおよび認証状態を表示面３００上に表示されていない状態のときに、表示面３００とは反対の表示装置１０５の裏面側に配置された画像取得装置１０６は、表示面３００上の画像を自動車走行中に複数回取得する。
【０１７８】
そして、取得された複数回の画像データを比較した結果、一致しないと判定する場合には、現在時刻に基づいた認証状態を認証表示部３０２上に行なう。すなわち、予め決定された認証パターンに基づいた認証状態を認証表示部３０２上に表示する。
【０１７９】
一方、取得された複数回の画像データを比較した結果、一致すると判定する場合には、現在時刻に基づいた認証状態を認証表示部３０２上に表示しない。すなわち、予め決定された認証パターンに基づいた認証状態を認証表示部３０２上に表示しない。
【０１８０】
したがって、本発明の実施形態に従えば、電子ナンバープレート上に表示される認証状態を目視することにより、電子ナンバープレート上に表示される自動車登録ナンバーの偽造の有無を判断できる。そして、認証状態の表示から偽装の有無を判断できることから、電子ナンバープレート上の自動車登録ナンバーの表示が偽装されることを防止することができる。
【０１８１】
なお、前述した本発明の実施形態は、本発明の一側面を説明するものにすぎず、本発明が前述した実施形態に限定されることを意図しない。
例えば、前述した本発明の実施形態に従った電子ナンバープレートでは、電子ナンバープレートの表示面上の画像を、表示装置の表示面とは反対の裏面側に配置された画像取得装置により取得している。
【０１８２】
しかし、電子ナンバープレートとは別に自動車に搭載されたカメラや、路側に設置された自動車ナンバー自動読取装置により電子ナンバープレートの表示面上の画像を取得するようにしてもよい。すなわち、これらのカメラや装置により取得された電子ナンバープレートの表示面上の自動車登録ナンバーと、電子ナンバープレートに格納された自動車登録ナンバーとを比較し、比較の結果が一致する場合には、電子ナンバープレートの表示面上の自動車登録ナンバーの表示に偽装なしとの認証状態を表示するようにしてもよい。
【符号の説明】
【０１８３】
１００      電子ナンバープレート
１０１      ＣＰＵ
１０２      ＲＴＣ
１０３      主記憶装置
１０４      ＲＯＭ
１０５      表示装置
１０６      画像取得装置
１０７      電波時計
１０８      加速度センサ
３００      表示面
３０１      ナンバー表示部
３０２      認証表示部
４０１      画像表示部
４０１ａ、４０１ｂ、４０１ｃ      コレステリック型液晶
４０２      光吸収およびシャッター部
【図１】
2013010445.tif 000003
【図２】
2013010445.tif 000004
【図３】
2013010445.tif 000005
【図７】
2013010445.tif 000006
【図１０】
2013010445.tif 000007
【図１１】
2013010445.tif 000008
【図１２】
2013010445.tif 000009
【図１５】
2013010445.tif 000010
【図１６】
2013010445.tif 000011
【図１７】
2013010445.tif 000012
【図１８Ａ】
2013010445.tif 000013
【図１８Ｂ】
2013010445.tif 000014
【図１９Ａ】
2013010445.tif 000015
【図１９Ｂ】
2013010445.tif 000016
【図２０】
2013010445.tif 000017
【図４】
2013010445.tif 000018
【図５】
2013010445.tif 000019
【図６】
2013010445.tif 000020
【図８】
2013010445.tif 000021
【図９】
2013010445.tif 000022
【図１３】
2013010445.tif 000023
【図１４】
2013010445.tif 000024
【図２１】
2013010445.tif 000025
【図２２】
2013010445.tif 000026